(57)【要約】【課題】必要な場合にのみ冷却ファンを駆動してＬＥＤを冷却することによって、省エネルギーを図りつつＬＥＤの光量と光量スペクトルの変化を抑えて原稿画像を高精度に読み取ることができる画像読取装置を提供すること。【解決手段】複数のＬＥＤを配列して成る光源と、該光源に向かって送風して前記ＬＥＤを冷却する冷却ファンを備え、前記ＬＥＤから原稿面に向かって出射される光によって原稿面を走査して原稿画像を読み取る画像読取装置において、前記ＬＥＤに設定値以上の電流を供給した場合に前記冷却ファンを駆動制御する。又、原稿読取方式として原稿搬送読み取り方式を採る場合に前記冷却ファンの駆動制御を行う。更に、前記ＬＥＤの点灯時間が設定値を超えた場合に前記冷却ファンを駆動制御する。【選択図】図４
2008131213.tif 000002
【特許請求の範囲】
【請求項１】
複数の点光源を配列して成る光源と、該光源に向かって送風して前記点光源を冷却する冷却ファンを備え、前記点光源から原稿面に向かって出射される光によって原稿面を走査して原稿画像を読み取る画像読取装置において、
前記点光源に設定値以上の電流を供給した場合に前記冷却ファンを駆動制御することを特徴とする画像読取装置。
【請求項２】
原稿読取方式として原稿搬送読み取り方式を採る場合に前記冷却ファンの駆動制御を行うことを特徴とする請求項１記載の画像読取装置。
【請求項３】
前記点光源の点灯時間が設定値を超えた場合に前記冷却ファンを駆動制御することを特徴とする請求項１又は２記載の画像読取装置。
【請求項４】
請求項１〜３の何れかに記載の画像読取装置と、該画像読取装置によって読み取られた画像データに基づいて記録材上に画像を形成する画像形成手段を有することを特徴とする画像形成装置。
【発明の詳細な説明】
【技術分野】
【０００１】
本発明は、複数のＬＥＤ等の点光源を配列して成る光源と、該光源に向かって送風して前記点光源を冷却する冷却ファンを備え、前記点光源から原稿面に向かって出射される光によって原稿面を走査して原稿画像を読み取る画像読取装置とこれを備えた複写機、プリンタ、ファクシミリ等の画像形成装置に関するものである。
【背景技術】
【０００２】
電子写真方式を採用する複写機やレーザービームプリンタ等の画像形成装置においては、コンタクトガラス上に載置された原稿を光走査して読み取る画像読取装置が設けられており、この画像読取装置によって読み取られた画像データに基づいて画像が画像形成手段によって用紙等の記録材上に形成される。ここで、画像形成手段には、感光ドラム、現像装置、転写装置、定着装置等の各種プロセス機器が含まれる。
【０００３】
ところで、画像読取装置は、原稿が載置される透明なコンタクトガラスと、該コンタクトガラス上に載置された原稿に向かって光を出射する光源と、原稿面で反射した反射光を更に反射させてその方向を変更する複数のミラーと、反射光を集光するレンズと、該レンズによって集光された反射光を読み取るＣＣＤセンサ等の受光センサを含んで構成されている。
【０００４】
斯かる画像形成装置の光源としてはＬＥＤ等の点光源が使用されているが、点光源としてＬＥＤを用いる場合、ＬＥＤは、これを長時間点灯した場合、特に大きな電流を流した場合に温度上昇によって発光光量が減少したり、発光スペクトルが変化してしまう特性を有しているため、その対策が必要となる。
【０００５】
ここで、ＬＥＤへの供給電流に対する照度の経時変化を図５に示すが、ＬＥＤへの供給電流がＸ［ｍＡ］である場合にはＬＥＤを５分間点灯していても光量は約０．５％しか低下していない。これに対して、供給電流をＹ［ｍＡ］に上げてＬＥＤを５分間連続的に点灯すると光量は約７％も低下する。
【０００６】
ところで、画像の読み取りにおいて、要求される画像品質が異なる場合にはＬＥＤへの供給電流の大きさが切り替えられる。例えば、モノクロ読取画像よりもカラー読取画像の方が高画質を求められる場合には、カラー画像を読み取る場合にＬＥＤへの供給電流が高く設定される。このようにＬＥＤへの供給電流を高く設定すれば、受光センサの単位時間当たりの蓄積光量が大きくなり、Ｓ／Ｎの高い画像が得られる。又、ＬＥＤが連続点灯される場合としては、原稿読取方式として原稿搬送読取方式を選択する場合が挙げられる。
【０００７】
ＬＥＤの温度上昇に伴う発光光量の減少や発光スペクトルの変化等の問題を解決する一手段として、特許文献１には、サーミスタ等の温度検出手段を設け、該温度検出手段によって検出された温度に基づいて冷却ファンをＯＮ／ＯＦＦ制御する構成が提案されている。
【特許文献１】特開２００２−２３７９２７号公報
【発明の開示】
【発明が解決しようとする課題】
【０００８】
しかしながら、特許文献１において提案されている温度検出手段を用いた場合、ＬＥＤと温度検出手段の温度上昇／低下の特性がそれぞれ異なるため、冷却ファンをＯＮ（駆動）するタイミングが遅れたり、ＬＥＤの短時間の点灯に対して不必要に冷却ファンをＯＮする場合が考えられる。図５に示すように、ＬＥＤへの供給電流が高い方のＹ［ｍＡ］に設定されている場合であっても、点灯時間が短い場合には光量変化は非常に小さいため、冷却ファンをＯＮしてＬＥＤを冷却する必要はない。
【０００９】
本発明は上記問題に鑑みてなされたもので、その目的とする処は、必要な場合にのみ冷却ファンを駆動して点光源を冷却することによって、省エネルギーを図りつつ点光源の光量と光量スペクトルの変化を抑えて原稿画像を高精度に読み取ることができる画像読取装置と高質画像を安定的に得ることができる画像形成装置を提供することにある。
【課題を解決するための手段】
【００１０】
上記目的を達成するため、請求項１記載の発明は、複数の点光源を配列して成る光源と、該光源に向かって送風して前記点光源を冷却する冷却ファンを備え、前記点光源から原稿面に向かって出射される光によって原稿面を走査して原稿画像を読み取る画像読取装置において、前記点光源に設定値以上の電流を供給した場合に前記冷却ファンを駆動制御することを特徴とする。
【００１１】
請求項２記載の発明は、請求項１記載の発明において、原稿読取方式として原稿搬送読取方式を採る場合に前記冷却ファンの駆動制御を行うことを特徴とする。
【００１２】
請求項３記載の発明は、請求項１又は２記載の発明において、前記点光源の点灯時間が設定値を超えた場合に前記冷却ファンを駆動制御することを特徴とする。
【００１３】
請求項４記載の発明は、請求項１〜３の何れかに記載の画像読取装置と、該画像読取装置によって読み取られた画像データに基づいて記録材上に画像を形成する画像形成手段を含んで画像形成装置を構成したことを特徴とする。
【発明の効果】
【００１４】
請求項１記載の発明によれば、例えばモノクロ画像よりも高画質が要求されるカラー画像を読み取る場合のように、点光源に設定値以上の電流を供給したために点光源の温度上昇が大きい場合にのみ冷却ファンを駆動制御し、点光源に設定値未満の電流を供給する場合には点光源の温度上昇が小さいために冷却ファンを駆動しないこととした。このように、必要な場合にのみ冷却ファンを駆動して点光源を冷却するようにしたため、省エネルギーを実現することができ、点光源の光量と光量スペクトルの変化を抑えて原稿画像を高精度に読み取ることができる。
【００１５】
請求項２記載の発明によれば、原稿読取方式として点光源の連続点灯時間が長くなる原稿搬送読取方式を採る場合に冷却ファンの駆動制御を行うようにし、ＬＥＤの点灯時間が短く点光源の温度上昇が低い固定読取方式を採る場合には冷却ファンを駆動しないようにしたため、省エネルギーを図りつつ点光源の光量と光量スペクトルの変化を抑えて原稿画像を高精度に読み取ることができる。
【００１６】
請求項３記載の発明によれば、点光源の点灯時間が設定値を超えた場合に冷却ファンを駆動制御し、例えば点光源に設定値以上の電流を供給し、且つ、原稿読取方式として原稿搬送読取方式を採る場合であっても、点光源の点灯時間が短くて光量変化が非常に小さい場合には冷却ファンを駆動しないようにしたため、省エネルギーを図りつつ点光源の光量と光量スペクトルの変化を抑えて原稿画像を高精度に読み取ることができる。
【００１７】
請求項４記載の発明によれば、画像読取装置によって高精度に読み取られた画像データに基づいて高質画像を安定的に得ることができる。
【発明を実施するための最良の形態】
【００１８】
以下に本発明の実施の形態を添付図面に基づいて説明する。
【００１９】
［画像形成装置］
図１は本発明に係る画像形成装置の一形態としてのカラー複写機の正断面図であり、図示のカラー複写機は、本体１００の上部に本発明に係る画像読取装置２０を備え、本体１００の内部中央部には、画像形成手段を構成するマゼンタ画像形成ユニット１Ｍ、シアン画像形成ユニット１Ｃ、イエロー画像形成ユニット１Ｙ及びブラック画像形成ユニット１ＢＫが一定の間隔で一列に配置されている。
【００２０】
画像形成手段である前記各画像形成ユニット１Ｍ，１Ｃ，１Ｙ，１ＢＫには、像担持体としてのドラム型電子写真感光体（以下、「感光ドラム」と称する）２ａ，２ｂ，２ｃ，２ｄがそれぞれ設置されている。そして、各感光ドラム２ａ〜２ｄの周囲には、一次帯電器３ａ，３ｂ，３ｃ，３ｄ、現像装置４ａ，４ｂ，４ｃ，４ｄ、一次転写手段としての転写ローラ５ａ，５ｂ，５ｃ，５ｄ、ドラムクリーニング装置６ａ，６ｂ，６ｃ，６ｄがそれぞれ配置されている。
【００２１】
前記感光ドラム２ａ〜２ｄは、ドラム状のアモルファスシリコン（α−Ｓｉ）感光体であって、不図示の駆動装置によって図示矢印方向（図１において反時計方向）に所定のプロセススピードで回転駆動される。
【００２２】
又、前記一次帯電器３ａ〜３ｄは、不図示の帯電バイアス電源から印加される帯電バイアスによって各感光ドラム２ａ〜２ｄの表面を所定の電位に均一に帯電させるものである。
【００２３】
更に、前記現像装置４ａ〜４ｄは、マゼンタ（Ｍ）トナー、シアン（Ｃ）トナー、イエロー（Ｙ）トナー、ブラック（ＢＫ）トナーをそれぞれ内蔵しており、各感光ドラム２ａ〜２ｄ上に形成される各静電潜像に各色のトナーを付着させて各静電潜像を各色のトナー像として現像（可視像化）するものであって、トナーが消費されて各現像装置４ａ〜４ｄでのトナー残量が一定値未満になったためにトナー補給信号が発せられると、トナー補給装置７ａ，７ｂ，７ｃ，７ｄから各現像装置４ａ〜４ｄに各色のトナーが補給される。尚、各トナー補給装置７ａ〜７ｄは、複写機本体１００に対して着脱可能なカートリッジとして構成されている。
【００２４】
又、一次転写手段としての前記転写ローラ５ａ〜５ｄは、各一次転写部（一次転写ニップ部）にて無端状の中間転写ベルト８を介して各感光ドラム２ａ〜２ｄに当接可能に配置されている。ここで、中間転写ベルト８は、第２の像担持体を構成しており、二次転写対向ローラ９とテンションローラ１０との間に張架されて各感光ドラム２ａ〜２ｄの上面側に走行可能に配置されている。又、前記二次転写対向ローラ９は、二次転写部（二次転写ニップ部）において中間転写ベルト８を介して二次転写ローラ１１に当接可能に配置されている。尚、中間転写ベルト８の材質としては、例えばポリカーボネイト、ポリエチレンテレフタレート（ＰＥＴ）、ポリフッ化ビニリデン（ＰＶｄＦ）等の誘電体樹脂が選定される。又、図示しないが、中間転写ベルト８の外側であって、且つ、テンションローラ１０の近傍には、中間転写ベルト８の表面に残留する転写残トナーを除去するためのベルトクリーニング装置が設置されている。
【００２５】
他方、複写機本体１００の内部の各画像形成ユニット１Ｍ，１Ｃ，１Ｙ，１ＢＫの下方にはレーザースキャナユニット４０が配置され、その下方の本体１００の底部には給紙カセット５０が着脱可能に設置されており、この給紙カセット５０には複数枚の記録材Ｐが積層収納されている。そして、給紙カセット５０の近傍には、給紙カセット５０から記録材Ｐを１枚ずつ搬送パス１２へと送り出すためのピックアップローラ１３が設けられている。
【００２６】
又、複写機本体１００内の一側部に縦方向に配置された前記搬送パス１２は、本体１００の上面に設けられた排紙トレイ１４まで延びており、その途中には給紙ローラ対１５、レジストローラ対１６、定着ローラ１７ａと加圧ローラ１７ｂを有する定着装置１７及び排紙ローラ対１８が設けられている。
【００２７】
次に、以上の構成を有するカラー複写機による画像形成動作について説明する。
【００２８】
画像形成開始信号が発せられると、各画像形成ユニット１Ｍ，１Ｃ，１Ｙ，１ＢＫにおいて各感光ドラム２ａ〜２ｄが所定のプロセススピードで図１の矢印方向に回転駆動され、これらの感光ドラム２ａ〜２ｄは、一次帯電器３ａ〜３ｄによって正極性に一様に帯電される。又、レーザースキャナユニット４０は、画像読取装置２０によって読み取られた原稿画像の各色毎のカラー画像信号によって変調されたレーザー光をレーザー出力部４１から出射し、そのレーザー光をレンズ４２、複数のミラー４３及びレンズ４４を経て各感光ドラム２ａ〜２ｄの表面に投影し、各感光ドラム２ａ〜２ｄ上に各色のカラー画像信号に対応した静電潜像をそれぞれ形成する。
【００２９】
そして、先ずマゼンタ画像形成ユニット１Ｍの感光ドラム２ａ上に形成された静電潜像に、該感光ドラム２ａの帯電極性と同極性の現像バイアスが印加された現像装置４ａにより、マゼンタトナーを付着させて該静電潜像をマゼンタトナー像として可視像化する。このマゼンタトナー像は、感光ドラム２ａと転写ローラ５ａとの間の一次転写部において、トナーと逆極性の一次転写バイアスが印加された転写ローラ５ａの作用によって、図示矢印方向に回転駆動されている中間転写ベルト８上に一次転写される。
【００３０】
上述のようにしてマゼンタトナー像が一次転写された中間転写ベルト８は、次のシアン画像形成ユニット１Ｃヘと移動する。そして、シアン画像形成ユニット１Ｃにおいても、前記と同様にして、感光ドラム２ｂ上に形成されたシアントナー像が一次転写部において中間転写ベルト８上のマゼンタトナー像上に重ね合わせて転写される。
【００３１】
以下同様にして、中間転写ベルト８上に重畳転写されたマゼンタ及びシアントナー像上に、イエロー及びブラック画像形成ユニット１Ｙ，１ＢＫの感光ドラム２ｃ，２ｄ上にそれぞれ形成されたイエロー及びブラックトナー像が各一次転写部において順次重ね合わせられ、中間転写ベルト８上にはフルカラーのトナー像が形成される。尚、中間転写ベルト８上に転写されないで各感光ドラム２ａ〜２ｄ上に残留する転写残トナーは、各ドラムクリーニング装置６ａ〜６ｄによって除去され、不図示の廃トナー搬送手段によって搬送されて各トナー供給装置７ａ〜７ｄに一体に形成されたトナー回収容器に廃トナーとして回収される。
【００３２】
他方、給紙カセット５０からは１枚の記録材Ｐがピックアップローラ１３及び給紙ローラ対１５によって搬送パス１２へと送り出され、この記録材Ｐは、中間転写ベルト８上のフルカラートナー像の先端が二次転写対向ローラ９と二次転写ローラ１１間の二次転写部に達するタイミングに合わせて、レジストローラ対１６によって二次転写部へと搬送される。
【００３３】
そして、二次転写部に搬送された記録材Ｐに、トナーと逆極性の二次転写バイアスが印加された二次転写ローラ１１によって形成される転写電界の作用によってフルカラーのトナー像が中間転写ベルト８から記録材Ｐ上に一括して二次転写される。
【００３４】
而して、フルカラーのトナー像が転写された記録材Ｐは、除電処理されて中間転写ベルト８から静電分離された後、定着装置１７へと搬送される。定着装置１７においては、定着ローラ１７ａと加圧ローラ１７ｂとの間の定着ニップ部でフルカラーのトナー像が加熱及び加圧されて記録材Ｐの表面に熱定着され、トナー像の定着を受けた記録材Ｐが排紙ローラ対１８によって排紙トレイ１４上に排出されることによって一連の画像形成動作が完了する。尚、記録材Ｐ上に転写されないで中間転写ベルト８上に残留する二次転写残トナーは、不図示のベルトクリーニング装置によって除去され、不図示の廃トナー搬送手段によって搬送されて不図示のトナー回収容器に廃トナーとして回収される。
【００３５】
尚、以上は本発明を特にカラー複写機に適用した形態について説明したが、本発明は、プリンタ、ファクシミリ等の他の任意の画像形成装置を適用対象とする。
【００３６】
［画像読取装置］
次に、本発明に係る前記画像読取装置２０の構成の詳細を添付図面に基づいて説明する。
【００３７】
図２は本発明に係る画像読取装置の正断面図、図３は同画像読取装置の平面図であり、図示の画像読取装置２０は、不図示の原稿が載置される透明なコンタクトガラス２１と、該コンタクトガラス２１上に載置された原稿Ｇの画像を読み取る画像読取位置Ｘ（図２参照）に向かって光を出射する光源２２と、画像読取位置Ｘで反射した反射光を更に反射させてその方向を変更する複数のミラー２３，２４，２５と、反射光を集光するレンズ２６と、該レンズ２６によって集光された反射光を読み取る光電変換素子であるＣＣＤセンサ２７を含んで構成されている。
【００３８】
ここで、前記光源２２は、図３に示すように、ＬＥＤ３０を細長い光源基板３１上に主走査方向（図３の上下方向）に適当な間隔で配列して構成されている。そして、光源２２とミラー２３とは第１走査枠体２８に支持されており、前記ミラー２４，２５は第２走査枠体に支持されており、これらの第１及び第２走査枠体２８，２９は、コンタクトガラス２１の下方を図２及び図３の左右方向（副走査方向）に移動してコンタクトガラス２１上に載置された原稿Ｇを光学的に走査する。
【００３９】
ところで、ＬＥＤ３０は、これを長時間点灯した場合、特に大きな電流を流した場合に温度上昇によって発光光量が減少したり、発光スペクトルが変化してしまう特性を有しているため、このＬＥＤ３０を冷却する必要がある。本実施の形態では、ＬＥＤ３０を不図示の冷却ファンによって冷却するようにしているが、冷却ファンは、ＬＥＤ３０への供給電流やＬＥＤ３０の連続点灯時間等に基づいて駆動制御される。
【００４０】
ここで、本実施の形態での画像読取動作と冷却ファンの駆動制御の手順を図４に示すフローチャートに従って説明する。
【００４１】
当初冷却ファンはＯＦＦ（停止）状態にあり、不図示の読取スタートキーが押されると（ステップＳ１）、光源２２（ＬＥＤ３０）が点灯し（ステップＳ２）、光源２２への供給電流がＸ［Ａ］以上であるか否かが判定される（チステップＳ３）。ここで、供給電流値は、画像読取モード（モノクロ画像／カラー画像、文字／写真等）によって予め決められており、画像読取モードが選択されると、ステップＳ３の判定が可能となっている。
【００４２】
ステップＳ３での判定の結果、光源２２への供給電流がＸ［Ａ］未満である場合（ステップＳ３での判定結果がＮｏである場合）には、そのまま読み取りを開始し（ステップＳ４）、読み取りが終了すると（ステップＳ１０での判断結果がＹｅｓとなると）、光源２２を消灯する（ステップＳ１１）。例えば、Ｘの設定値として８０ｍＡが設定され、光源２２への供給電流が８０ｍＡ未満である場合には冷却ファンは駆動されない。
【００４３】
他方、ステップＳ３での判定の結果、光源２２への供給電流がＸ［Ａ］以上である場合（ステップＳ３での判定結果がＹｅｓである場合）には、原稿読取方式が原稿Ｇを自動で送りながら連続的に読み取る原稿搬送読取方式（ＤＰ読み取り）であるか否かが判定される（ステップＳ５）。原稿読取方式が原稿搬送読取方式でなく、原稿Ｇがコンタクトガラスフ上に１枚ずつ載置（固定）されて読み取られる固定読取方式である場合（ステップＳ５での判定結果がＮｏである場合）には、光源２２の連続点灯時間が短いため、冷却ファンは駆動されず、そのまま読み取りを開始し（ステップＳ４）、読み取りが終了すると（ステップＳ１０での判断結果がＹｅｓとなると）、光源２２を消灯する（ステップＳ１１）。
【００４４】
これに対して原稿読取方式として原稿搬送読取方式を採用している場合には（ステップＳ５での判定結果がＹｅｓである場合）には、読み取り開始と同時に光源２２の点灯時間のカウントを開始し（ステップＳ６）、読み取りを開始する（ステップＳ７）。読み取りの間、光源２２の点灯時間がＴ［ｓｅｃ］以上か否か、つまり光源２２を点灯してＴ［ｓｅｃ］が経過したか否かが判定され（ステップＳ８）、光源２２を点灯して未だＴ［ｓｅｃ］が経過していない場合（ステップＳ８での判定結果がＮｏの場合）には、冷却ファンがＯＮ（駆動）されない状態で読み取りが継続され、読み取りが終了すると（ステップＳ１０での判定結果がＹｅｓとなると）、光源２２を消灯する（ステップＳ１１）。
【００４５】
他方、光源２２を点灯してからＴ［ｓｅｃ］が経過すると（ステップＳ８での判定結果がＹｅｓとなると）、冷却ファンをＯＮし（ステップＳ９）、読み取りが終了すると（ステップＳ１０での判定結果がＹｅｓとなると）、光源２２を消灯し（ステップＳ１１）、冷却ファンをＯＦＦする（ステップＳ１２）。例えば、光源２２への供給電流が１２０ｍＡである場合には光源２２は点灯から９０秒後に冷却ファンがＯＮされ、供給電流が１６０ｍＡである場合には光源２２は点灯から４５秒後に冷却ファンがＯＮされる。
【００４６】
以上のように、本実施の形態では、例えばモノクロ画像よりも高画質が要求されるカラー画像を読み取る場合のように、光源２２（ＬＥＤ３０）に設定値以上の電流を供給したためにＬＥＤ３０の温度上昇が大きい場合にのみ冷却ファンを駆動制御し、光源２２に設定値Ｘ［Ａ］未満の電流を供給する場合にはＬＥＤ３０の温度上昇が小さいために冷却ファンを駆動しないこととした。このように、必要な場合にのみ冷却ファンを駆動してＬＥＤ３０を冷却するようにしたため、省エネルギーを実現することができ、ＬＥＤ３０の光量と光量スペクトルの変化を抑えて原稿画像を高精度に読み取ることができる。
【００４７】
又、本実施の形態では、原稿読取方式としてＬＥＤ３０の連続点灯時間が長くなる原稿搬送読取方式を採る場合に冷却ファンの駆動制御を行うようにし、ＬＥＤ３０の点灯時間が短く該ＬＥＤ３０の温度上昇が低い固定読取方式を採る場合には冷却ファンを駆動しないようにしたため、省エネルギーを図りつつＬＥＤの光量と光量スペクトルの変化を抑えて原稿画像を高精度に読み取ることができる。
【００４８】
更に、本実施の形態では、ＬＥＤ３０の点灯時間が設定値Ｔ［ｓｅｃ］を超えた場合に冷却ファンを駆動制御し、例えばＬＥＤ３０に設定値Ｘ［Ａ］以上の電流を供給し、且つ、原稿読取方式として原稿搬送読取方式を採る場合であっても、ＬＥＤ３０の点灯時間が短くて光量変化が非常に小さい場合には冷却ファンを駆動しないようにしたため、省エネルギーを図りつつＬＥＤ３０の光量と光量スペクトルの変化を抑えて原稿画像を高精度に読み取ることができる。
【００４９】
そして、以上の効果を奏する画像読取装置２０を備えた図１に示すカラー複写機によれば、画像読取装置によって高精度に読み取られた画像データに基づいて高質のフルカラー画像を安定的に得ることができる。
【００５０】
尚、本実施の形態では、点光源として特にＬＥＤを使用した例について説明したが、点光源としてはＬＥＤ以外の他の任意のものを使用することができる。
【図面の簡単な説明】
【００５１】
【図１】本発明に係る画像形成装置（カラー複写機）の正断面図である。
【図２】本発明に係る画像読取装置の正断面図である。
【図３】本発明に係る画像読取装置の平面図である。
【図４】本発明に係る画像読取装置の画像読取動作と冷却ファンの駆動制御の手順を示すフローチャートである。
【図５】ＬＥＤへの供給電流に対する照度の経時変化を示す図である。
【符号の説明】
【００５２】
１Ｍ，１Ｃ，１Ｙ，１ＢＫ  画像形成ユニット（画像形成手段）
２ａ，２ｂ，２ｃ，２ｄ    感光ドラム
３ａ，３ｂ，３ｃ，３ｄ    一次帯電器
４ａ，４ｂ，４ｃ，４ｄ    現像装置
５ａ，５ｂ，５ｃ，５ｄ    転写ローラ
６ａ，６ｂ，６ｃ，６ｄ    ドラムクリーニング装置
７ａ，７ｂ，７ｃ，７ｄ    トナー補給装置
８                        中間転写ベルト
９                        二次転写対向ローラ
１０                      テンションローラ
１１                      二次転写ローラ
１２                      搬送パス
１３                      ピックアップローラ
１４                      排紙トレイ
１５                      給紙ローラ対
１６                      レジストローラ対
１７                      定着装置
１７ａ                    定着ローラ
１７ｂ                    加圧ローラ
１８                      排紙ローラ対
２０                      画像読取装置
２１                      コンタクトガラス
２２                      光源
２３，２４，２５          ミラー
２６                      レンズ
２７                      ＣＣＤセンサ
２８                      第１走査枠体
２９                      第２走査枠体
３０                      ＬＥＤ（点光源）
３１                      光源基板
Ｇ                        原稿
Ｐ                        記録材
Ｘ                        画像読取位置
【図１】
2008131213.tif 000003
【図２】
2008131213.tif 000004
【図３】
2008131213.tif 000005
【図４】
2008131213.tif 000006
【図５】
2008131213.tif 000007